(57)【特許請求の範囲】
【請求項１】
閉じられた状態の傘に貫通された状態で、中棒の軸方向に移動可能であり、露先側において傘布を押圧して束ねる内径寸法を有し、前記傘が開いた状態のときは石突の位置に移動可能な、リング状に形成された治具と、
前記傘布の外側において、該傘布との間に前記治具を挟み、前記石突側から前記露先側に跨って架設された紐部材を有し、前記治具が前記石突の先端側から抜けるのを規制する移動規制部材と
を具備したことを特徴とする傘布束ね具。
【請求項２】
請求項１記載の傘布束ね具において、
前記紐部材は、前記傘布のうち一の山折り部に沿って設けられる
ことを特徴とする傘布束ね具。
【請求項３】
請求項１または２記載の傘布束ね具において、
前記移動規制部材は、前記治具を石突側から挿入した状態で、当該治具を外周側から被せるようにして設けられる
ことを特徴とする傘布束ね具。
【請求項４】
請求項１〜３のいずれかに記載の傘布束ね具を具備したことを特徴とする傘。
【発明の詳細な説明】
【技術分野】
【０００１】
本発明は、傘を閉じた状態で傘布を巻いて束ねるのに用いて好適な傘布束ね具、及びこの傘布束ね具を備えた傘に関する。
【背景技術】
【０００２】
傘を閉じたとき、各親骨の間に張設された略三角巾状の小間が垂れ下がる。このため、一般的な傘では、各小間を中棒に対して巻き付けるようにして傘布を束ね、この状態でネーム布（所謂、バンド）を傘布の外周に巻き付けて、当該傘布が広がるのを規制している。
また、傘布が広がるのを規制するための傘布束ね具としては、治具がリング状となったものとして特許文献１〜９があり、治具が筒状となったものとして特許文献１０，１１があり、さらに治具が紐状となったものとして特許文献１２がある。
【０００３】
特許文献１〜１１の傘布束ね具は、傘を開いた状態では治具を傘から外して使用する。また、特許文献１２の傘布束ね具にあっては、傘布を束ねる際、止めバンド（紐状の治具）のひっかけ具を露先から外し、巻き付けた傘布の上に止めバンドを石突側から巻き付け、当該止めバンドに適度な張力が発生するようにして露先にひっかけ具を再度引っ掛けるようにして使用する。
【先行技術文献】
【特許文献】
【０００４】
【特許文献１】特開２００２−３２０５１０号公報
【特許文献２】特開２００１−０９５６１２号公報
【特許文献３】特開平０９−３２７３１８号公報
【特許文献４】特開平０９−０３７８２６号公報
【特許文献５】実用登録第３１６３３１６号公報
【特許文献６】実用登録第３１０３８７６号公報
【特許文献７】実用登録第３０５８５２３号公報
【特許文献８】実用登録第３００９５７３号公報
【特許文献９】実開昭５５−１７９５２０号公報
【特許文献１０】特許登録第４６０１５２６号公報
【特許文献１１】実用登録第３０４０５７７号公報
【特許文献１２】実用登録第３０２３４４６号公報
【発明の概要】
【発明が解決しようとする課題】
【０００５】
特許文献１〜１２に記載の傘布束ね具にあっては、傘の開閉時に治具を傘から外して使用するため、使用者に煩わしさを与えていた。
本発明の目的は、先行技術文献に比べ、傘を開閉する際の使い勝手を向上させた傘布束ね具を提供することにある。
【課題を解決するための手段】
【０００６】
本発明の請求項１に係る傘布束ね具は、閉じられた状態の傘に貫通された状態で、中棒の軸方向に移動可能であり、露先側において傘布を押圧して束ねる内径寸法を有し、前記傘が開いた状態のときは石突の位置に移動可能な、リング状に形成された治具と、前記傘布の外側において、該傘布との間に前記治具を挟み、前記石突側から前記露先側に跨って架設された紐部材を有し、前記治具が前記石突の先端側から抜けるのを規制する移動規制部材と  を具備したことを特徴とする。
【０００７】
本発明の請求項２に係る傘布束ね具は、請求項１記載の傘布束ね具において、前記紐部材は、前記傘布のうち一の山折り部となる部位に設けられることを特徴とする。
【０００８】
本発明の請求項３に係る傘布束ね具は、請求項１または２記載の傘布束ね具において、前記移動規制部材は、前記治具を前記石突側から挿入した状態で、当該治具を外周側から被せるようにして設けられることを特徴とする。
【００１０】
請求項４に係る傘は、請求項１〜３いずれかに記載の傘布束ね具を具備したことを特徴とする。
【発明の効果】
【００１１】
本発明による傘布束ね具は、治具を傘から取り外さずに傘布を束ねられるため、先行技術文献に比べ、その使い勝手を向上させることができる。
【図面の簡単な説明】
【００１２】
【図１】一般的な傘の骨組を示す図である。
【図２】第１実施形態に係る傘布束ね具を示す斜視図である。
【図３】紐部材を傘の石突側へ取り付けた状態を示す斜視図である。
【図４】紐部材を傘の露先側へ取り付けた状態を示す斜視図である。
【図５】傘布を開いた状態を示す平面図である。
【図６】第１実施形態に係る傘布束ね具の使用状態を示す図である。
【図７】治具を石突側に移動させた状態を示す斜視図である。
【図８】第１実施形態に係る変形例を示す図である。
【図９】第１実施形態に係る他の変形例を示す図である。
【図１０】第１実施形態に係る別の変形例を示す図である。
【図１１】第２実施形態に係る傘布束ね具を示す斜視図である。
【図１２】ストッパーの露先側へ取り付けた状態を示す図である。
【図１３】第２実施形態に係る傘布束ね具の使用状態を示す図である。
【図１４】第２実施形態に係る変形例を示す図である。
【図１５】第３実施形態に係る傘布束ね具を示す斜視図である。
【図１６】第３実施形態に係る傘布束ね具の使用状態を示す図である。
【発明を実施するための形態】
【００１３】
以下、図面を参照しつつ本発明による傘について説明する。
＜傘の構造＞
まず、傘１の一般的な骨組構造を示す図１を参照しつつ傘の基本構成について説明する。図１は、傘１を開く途中の状態を示している。
【００１４】
傘１は、先端が石突３となり、起端がハンドル４となる中棒２を有する。この中棒２には、当該中棒２に挿入されて矢印方向に移動する下ろくろ５が設けられる。中棒２のうち、先端側には、当該傘１を開いた状態で下ろくろ５を固定する上はじき６Ａが設けられ、起端側には、当該傘１を閉じた状態で下ろくろ５を固定する下はじき６Ｂが設けられる。
中棒２には、複数本（例えば、８本）の親骨７，７…が設けられ、この各親骨７は起端が中棒２の石突３側に固定された上ろくろ８に回動自在に取り付けられる。各親骨７には受骨９が設けられ、この受骨９の一端が親骨７の途中に回動自在に取り付けられ、他端が下ろくろ５に回動自在に取り付けられる。また、親骨７の先端は露先１０となる。
【００１５】
さらに、親骨７には、各親骨７間が略三角形状の８個の小間１１，１１…となる傘布１２が張設される。また、傘布１２は、中央部の孔部が布材で形成された菊座１４を介して陣笠１３（石突３）に取り付けられ、外側の各小間１１の頂点が露先１０に取り付けられる。石突３は、菊座１４と、樹脂材料によって截頭円錐状に形成された陣笠１３とから構成される。
【００１６】
このように構成される傘１にあっては、下ろくろ５を上はじき６Ａから外して、中棒２に沿ってハンドル４側に移動させて下はじき６Ｂに係合させることで当該傘１を閉じ、下ろくろ５を下はじき６Ｂから外して下ろくろ５を中棒２に沿って石突３側に移動させて上はじき６Ａに係合させることで当該傘１を開くようになっている。
以下の説明において、下ろくろ５を上はじき６Ａに係合させた状態を「傘１を開いた状態」、下ろくろ５を下はじき６Ｂに係合させた状態を「傘１を閉じた状態」、各小間１１を中棒２に対して巻き付けて広がるのを規制した状態を「傘布１２を束ねた状態」、と便宜上呼ぶことにする。
【００１７】
＜第１実施形態による傘布束ね具の構成＞
次に、本発明の第１実施形態に係る傘布束ね具について説明する。
図２は傘布束ね具２０の概略を示す斜視図である。図３は紐部材２５の石突３側への取り付け状態を示す斜視図である。図４は紐部材２５の露先１０側への取り付け状態を示す斜視図である。
【００１８】
傘布束ね具２０は、図２に示すように、リング状に形成された治具２１と、この治具２１を傘１に対して抜け止めした状態で保持するリボン状の紐部材２５（移動規制部材）と、を具備する。治具２１は、例えば、変形し難い樹脂材料によって形成される。治具２１の内径寸法φ０は、傘布１２を束ねた状態の外径寸法よりも若干大きくなって、傘布１２を押圧して束ねる。例えば、治具２１の内径寸法φ０は、傘１の外径寸法が３５ｍｍ〜４０ｍｍであることを考慮して４０ｍｍ〜４５ｍｍとなる。理想的には、治具２１の内径寸法φ０は、傘布１２を束ねた状態の外径寸法が、石突３から露先１０に向けて暫時大きくなるため、最大となる外径寸法よりも若干小さくすることが好ましい。
【００１９】
次に、紐部材２５の取り付け状態を、図５を参照しつつ説明する。図５は、傘布１２を開いた状態を示す平面図である。
傘布１２は、八角形状に形成され、中心から外側に向けて折り目が形成される。この傘布１２は例えば、防水性の生地によって形成されるが、柔軟な布状の素材であれば他の素材を使用することもできる。傘布１２において菊座１４から親骨７に沿って各頂点に伸びる線が谷折り部１２Ａとなり、この谷折り部１２Ａ，１２Aによって挟まれて形成される三角形の部分が小間１１となる。また、各谷折り部１２Ａに挟まれた三角形の菊座１４側の頂点から、露先１０（図５には図示せず）を結ぶ辺（八角形の一辺）の中央に伸びる線が山折り部１２Bを形成する。
【００２０】
ここで、紐部材２５のうち、一端２５Ａは菊座１４に縫い付けられ、他端２５Ｂは一の小間１１の山折り部１２Ｂのうち露先１０側となる部位に縫い付けられる。これにより、紐部材２５は、石突３側から露先１０側に跨って架設されることになる。
そして、治具２１は、図３に示すように、傘１の石突３側から挿入された状態で、紐部材２５を治具２１の外周側から被せるようにして、その両端２５Ａ，２５Ｂを傘１に取り付ける。つまり、治具２１が紐部材２５と傘布１２との間に挟まれることになる。これにより、紐部材２５は、当該傘１を開いた状態で治具２１の石突３側への移動を規制し、当該傘１を閉じた状態で前記治具２１が石突３から抜けるのを規制する。
【００２１】
また、傘１の各親骨７は、傘布１２を束ねたときはほぼ直線状に伸びきった状態であり、傘１を開いた状態では湾曲した状態となる。このとき、傘布１２は親骨７に沿って張力を受けて湾曲した状態で張られる。紐部材２５は、傘１が開いた状態において、傘布１２の小間１１の部分に沿って弛むこともなく、また傘布１２を引っ張ることもない寸法にて取り付けられることが望ましい。なお、若干の弛みを持っていても、その弛みによって治具２１が当該傘１の石突３側から抜け落ちない長さであればよい。
また、傘布１２を束ねる際には、各小間１１を中棒２に対して巻き付けるようにして束ねるため、図６（ｂ）に示すように、紐部材２５の一端と他端とは相対的に旋回された状態で巻かれる。このため、紐部材２５には、この旋回分に相当する程度の遊び（寸法の余裕）が必要となる。紐部材２５の寸法の調整は、例えば、紐部材２５の作成時に適切な長さで作成すればよいが、他端２５Ｂを縫い付ける場合には端部を切断して長さを調整することも可能であり、紐部材２５の途中に長さ調整用の機構を設けてもよい。
【００２２】
＜第１実施形態による傘布束ね具の使用方法＞
次に、傘布束ね具２０の使用方法について説明する。図６は傘布束ね具２０の使用状態を示す図である。図６（ａ）は、傘１を閉じた状態で治具２１が石突３側にある状態を示しており、図６（ｂ）は、傘布１２を束ねた状態で治具２１を露先１０側に移動させた状態を示している。図７は、治具２１を石突３側に移動させた状態を示す斜視図である。
【００２３】
まず、傘１を開く場合、使用者は、露先１０側にある治具２１を石突３側に移動させ、図７に示すように、治具２１が石突３に達する位置まで移動させる。この状態では、治具２１は、上ろくろ８（図１参照）よりも石突３側にあるため、傘布１２に対する拘束が解除される。この移動は、手で治具２１を移動させてもよく、石突３を下に向けた状態で傘１を加振することによって移動させてもよい。そして、使用者が、下ろくろ５を下はじき６Ｂから外して中棒２に沿って移動させて上はじき６Ａに係合させることで当該傘１を開く。このとき、リング状の治具２１は穴の部分が石突３に貫通されて、開いた傘布１２の中心部上に乗る状態となり、傘１の開具合に影響を与えない。しかも、治具２１は、その輪の部分に紐部材２５が通されている状態となっているため、傘１から抜け落ちることはない。
なお、傘１を開く際の治具２１の石突３側への移動は、上ろくろ８に架かる位置までの移動であってもよい。この場合、上ろくろ８に架かる位置まで移動された治具２１は、傘１を開く際の各親骨７の広がる動作によって内周面が石突３側に押されて移動することになる。
【００２４】
一方、傘１を閉じる場合、使用者は、下ろくろ５を上はじき６Ａから外して、中棒２に沿ってハンドル４側に移動させて下はじき６Ｂに係合させることで当該傘１を閉じる。その後、傘布１２を束ねる場合、使用者は、一方の手でハンドル４を持ち、他方の手で治具２１の外周も持って、石突３側に位置する治具２１を矢印Ａ方向に引っ張って露先１０側に移動させる。傘布１２の外径寸法は小間１１の端部分が大径となるため、その手前まで治具２１を移動させる。そして、使用者は治具２１を持った状態でハンドル４を矢印Ｂ方向に回転させることで、傘布１２の各小間１１を中棒２に対して巻き付ける。そして、治具２１は、傘布１２が広がるのを規制すると共に、当該傘１が開くのを拘束する。
治具２１を矢印Ｂの逆方向に回転させながら矢印Ａ方向に移動させても、移動後に治具を矢印Ｂの逆方向に回転させても、傘布１２の各小間１１を中棒２に対して巻き付かせられる。そして、紐部材２５は、図６（ｂ）のように、傘布１２上を旋回した状態で取り巻く形となる。
【００２５】
このように、本実施形態による傘布束ね具２０は、傘１から治具２１を取り外すことなく傘１の開閉を可能にするため、傘１の開閉の度に治具を取り外して装着する場合に比べ、使い勝手を向上させることができる。しかも、傘布束ね具２０を装着した傘１は、治具２１を傘１の長さ方向に沿って移動させるという簡単な動作で、治具２１による傘１の開閉動作の拘束／解除をスムーズに行うことができるため、乗り物への乗降時等に周りへの雨滴の散乱を抑制されることになる。
【００２６】
また、治具２１の移動を規制する紐部材２５は、傘１を開いた際に紐部材２５が取り付けられた傘布１２の部位が親骨７の長さ方向に引っ張られてこの間の傘布１２が撓むことのない長さ寸法、或いは傘布１２を巻き付ける際に、巻き付けの妨げにならない長さ寸法とすれば、傘１を開いた状態で、傘布１２に不自然な皺が寄るのをなくして傘１の美観を損なうこともない。さらに、治具２１は紐部材２５によって傘１に取り付けられるため、治具２１をハンドル４側に装着する場合に比べ、治具２１が揺動して手に当たったりして邪魔になることがない。
【００２７】
＜第１実施形態の変形例＞
前述した第１実施形態では、治具２１を樹脂材料によって環状体として形成した場合を例示したが、本発明はこれに限らず、図８（ａ）に示すように、球体２２Ａ，２２Ａ，…を連ねて各球体２２Ａの直径方向に穿設した孔に挿通する針金（いずれも図示せず）をリング状とした治具２２であってもよい。また、図８（ｂ）に示すように、環状体２３Ａの表面に装飾２３Ｂを施した治具２３であってもよい。この治具２２，２３は、ブレスレットのような身飾品が傘１に装着されているような感じとなり、ファッション性も向上させたものとなる。また、球体２２Ａ間には隙間が形成されるため、治具２３を移動させた際に当該治具２３に溜まる雨滴を治具２３外に効率的に逃がして、リング状の治具に比べて水はけを良くすることができ、使用者の手が濡れ難くなる。
さらに、治具は可撓性の部材で形成してもよい。また、治具は環状部材の一部を切り欠いたＣ字状の部材、或いは環状体の一部が開閉する構造でよい。このようにすると、治具を交換可能にすることもできる。
【００２８】
また、紐部材２５の他端２５Ｂは、傘布１２に縫い付けるのでなく、図９に示す紐部材２７のように、その他端を露先１０に被せるキャップ状の留め具２７Ｂとしてもよい。また、他端を露先１０側に位置するネーム布（所謂、バンド）に取り付けるようにしてもよい。
また、紐部材２５の他端２５Ｂは、傘布１２に縫い付けるのでなく、図９に示す紐部材
【００２９】
さらに、紐部材は１本に限らず、複数本であってもよい。例えば、図１０に示すように、傘１の径方向に対して互いに対向する方向に伸びる一対の紐部材２５１，２５２としてもよい。一端２５１Ａ，２５２Ａは、菊座１４の直径方向に離間して縫い付けられる。紐部材２５１，２５２は、傘１を開いた状態で治具２１の上面の両側を、傘布１２に対して押し付けるように保持される。前記第１実施形態では、使用者が傘１をさした状態で、傘１を揺らした場合には、治具２１が不安定であるために治具２１が石突３に当たって「ガタガタ」という音が発生する可能性があったが、本変形例では、治具２１が安定するため不要な音の発生を抑制することができる。
【００３０】
＜第２実施形態による傘布束ね具の構成＞
次に、本発明の第２実施形態に係る傘布束ね具２０Ａについて説明する。第２実施形態の特徴は、治具の石突側への通過を規制するストッパー部材を設けた点にある。なお、本実施形態において、前述した第１実施形態で使用した構成要素と同一の構成要素には同一の符号を付し、その説明を省略するものとする。
【００３１】
図１１に示すように、ストッパー部材２６は、その外径寸法φ１が治具２１の内径寸法φ０よりも大径に形成され、陣笠１３に嵌合されて傘１に取り付けられる。そして、ストッパー部材２６は、治具２１の石突３側への通過を規制する移動規制部材となる。また、ストッパー部材２６の石突３に対する固定位置は、図１２に示すように、ストッパー部材２６の面のうち露先１０側に位置した面２６Ｅと上ろくろ８（図１参照）との隙間Ｗが形成され、この隙間Ｗは治具２１の厚さ寸法ｄよりも大きくなる。
【００３２】
治具２１は、その内径寸法φ０が、最大となる傘布１２を束ねた状態の寸法よりも若干小さくすることにより、傘１を閉じた状態で傘布１２を押圧して束ねる。
【００３３】
第２実施形態による傘布束ね具２０Ａにおいても、第１実施形態に記載の傘布束ね具２０と同様に使用することができる。
即ち、傘１を開く場合、使用者は、図１３（ａ）に示すように、露先１０側にある治具２１を石突３に達する位置まで移動させることにより（隙間Ｗに治具２１が嵌まり込んだ状態：図１２参照）、治具２１の傘布１２に対する拘束が解除されて当該傘１が開くのを許可する。一方、傘１を閉じて傘布１２を束ねる場合、使用者は、傘１を閉じ、その後一方の手でハンドル４を持ち、他方の手で治具２１の外周も持って、石突３側に位置する治具２１を矢印Ａ方向に引っ張って露先１０側に移動させ、傘布１２の各小間１１を中棒２に対して巻き付ける（図１３（ｂ））。そして、治具２１は、傘布１２が広がるのを規制する。
この第２実施形態においては、紐部材２５がある場合に比べ、治具２１をスムーズに移動させることが可能となる。
【００３４】
＜第２実施形態の変形例＞
前述した第２実施形態による傘布束ね具２０Ａでは、治具２１の石突３側への移動規制を円盤状のストッパー部材２６によって行うものとして述べたが、本発明はこれに限らず、治具２１の石突３側への移動を規制する構成であればどのような形状であってもよい。図１１にストッパーの幾つかの例を図示する。
【００３５】
図１４（ａ）に示すストッパー部材２６Ａおよび治具２１Ａのように構成してもよい。ストッパー部材２６Ａには径方向に突出した凸部２６Ａ１を形成し、治具２１Ａの内周面には凹部２１Ａ１を形成する。治具２１Ａを傘１に装着する際には、ストッパー部材２６Ａの凸部２６Ａ１に治具２１Ａの凹部２１Ａ１が合わさるようにして挿入する。挿入後は凸部２６Ａ１と凹部２１Ａ１とが合わさらない限り、治具２１Ａの抜け止めが図られる。
【００３６】
図１４（ｂ）に示すストッパー部材２６Ｂおよび治具２１Ｂのように構成してもよい。ストッパー部材２６Ｂには径方向に突出する突起部２６Ｂ１を形成し、治具２１Ｂを環状体の一部を切り欠いた空間２１Ｂ１を有するＣ字状体とする。治具２１Ｂを傘１に装着する際には、ストッパー部材２６Ｂの突起部２６Ｂ１に治具２１Ｂの空間２１Ｂ１が合わさるようにして挿入する。挿入後は突起部２６Ｂ１と空間２１Ｂ１とが合わさらない限り、治具２１Ｂの抜け止めが図られる。
【００３７】
図１４（ｃ）に示すストッパー部材２６Ｃのように構成してもよい。ストッパー部材２６Ｃには矢印の径方向に縮退する縮退突起２６Ｃ１を設ける。この縮退突起２６Ｃ１は、石突３側に斜面が向いた三角形状となる。縮退突起２６Ｃ１を実現するためにストッパー部材２６Ｃ内にはバネ部材（図示せず）が内設されている。縮退突起２６Ｃ１は、石突３側に斜面が向いているため、治具２１の石突３側からの挿入を容易に、他方からは縮退し難くして、治具２１の抜け止めが図られる。
【００３８】
図１４（ｄ）に示すストッパー部材２６Ｄのように構成してもよい。ストッパー部材２６Ｄには十字方向に伸びる棒状体２６Ｄ１，２６Ｄ１，…を有し、この棒状体２６Ｄ１は矢印方向にのみ折曲する構造となっている。この各棒状体２６Ｄ１は、治具２１の石突３側からの挿入を容易に、他方からは縮退し難くして、治具２１の抜け止めが図られる。なお、棒状体は十字方向に伸びる４本としたが、２，３，５本以上であってもよい。
【００３９】
＜第３実施形態による傘布束ね具の構成＞
次に、本発明の第３実施形態に係る傘布束ね具２０Ｂについて説明する。第３実施形態の特徴は、紐部材の一方を環状の治具に取り付け、他方を一の露先に取り付け、その長さを治具が石突から抜け出さない長さとして点にある。なお、本実施形態において、前述した第１実施形態で使用した構成要素と同一の構成要素には同一の符号を付し、その説明を省略するものとする。
第３実施形態に係る傘布束ね具２０Ｂについて、図１５および図１６を参照しつつ説明する。
【００４０】
傘布束ね具２０Ｂは、図１５に示すように、治具２１と紐部材２７とを具備する。この紐部材２７は、その一端２７Ａが治具２１に取り付けられ、キャップ状の留め具２７Ｂが取り付けられる。この留め具２７Ｂは一の露先１０に嵌合される。そして、紐部材２７の長さは、傘１を閉じた状態で、治具２１が石突３から抜け出さない長さに設定される。これにより、紐部材２７は、傘１を開いた状態で治具２１の石突３側への移動を規制し、当該傘１を閉じた状態で治具２１の露先１０側への移動を規制する移動規制構造として構成される。
【００４１】
＜第３実施形態による傘布束ね具の使用方法＞
このように構成される第２実施形態による傘布束ね具２０Ａにおいても、第１実施形態に記載の傘布束ね具２０と同様に使用することができる。
次に、傘布束ね具２０Ｂの使用方法について説明する。図１６は傘布束ね具２０Ｂの使用状態を示す図である。図１６（ａ）は、傘１を閉じた状態で治具２１が石突３側にある状態を示しており、図１６（ｂ）は、傘布１２を束ねた状態で治具２１を露先１０側に移動させた状態を示している。
即ち、傘１を開く場合、使用者は、図１６（ａ）に示すように、露先１０側にある治具２１を石突３に達する位置まで移動させ、治具２１の傘布１２に対する拘束を解除し、当該傘１が開くのを許可する。この際、治具２１は、紐部材２７によって傘１から抜け出すのが規制される。
【００４２】
一方、傘１を閉じて傘布１２を束ねる場合、使用者は、傘１を閉じ、その後使用者は、一方の手でハンドル４を持ち、他方の手で治具２１の外周も持って、石突３側に位置する治具２１を矢印Ａ方向に引っ張って露先１０側に移動させ、傘布１２の各小間１１を中棒２に対して巻き付ける（図１６（ｂ））。そして、治具２１は、傘布１２が広がるのを規制すると共に、当該傘１が開くのを拘束する。
この第３実施形態においては、治具２１を露先１０側に移動させた状態で、紐部材２７には輪が形成されるため、この輪を玄関等の部位に引っ掛けることで、傘１の収納が可能となる。
【００４３】
＜第３実施形態の変形例＞
前述した第３実施形態による傘布束ね具２０Ｂでは、紐部材２７の他端に留め具２７Ｂを取り付けた場合を例示したが、本発明はこれに限らず、紐部材２７の他端を一の露先１０近傍の部位や、ネーム布（所謂、バンド）等に取り付けるようにしてもよい。
【００４４】
＜傘布束ね具の効果＞
以上、詳述したように、傘布束ね具は、傘１を閉じた際に治具を傘から取り外すことなく、傘布１２を容易に束ねることが可能となる。
しかも、治具と紐部材、或いは治具とストッパー部材という簡単な構成となるため、既存の傘１に対して後からの装着を容易に行うとなる。また、治具や紐部材は、色、模様、形状等、種々の種類のものを用意しておけば、使用者の趣味に合ったものを選択／交換することで、ファッション性を高めることが可能となる。
【符号の説明】
【００４５】
１・・・傘、２・・・中棒、３・・・石突、４・・・ハンドル、７・・・親骨、１０・・・露先、１１・・・小間、１２・・・傘布、１２Ａ・・・山折り部、１２Ｂ・・・谷折り部、１３・・・陣笠、１４・・・菊座、２０，２０Ａ，２０Ｂ・・・傘布束ね具、２１，２１Ａ，２１Ｂ，２１Ｃ，２１Ｄ，２２，２３・・・治具、２５，２６，２７，２５１，２５２・・・紐部材、２６，２６Ａ，２６Ｂ，２６Ｃ，２６Ｄ・・・ストッパー部材
【図１】
0005796974.tif 000002
【図２】
0005796974.tif 000003
【図３】
0005796974.tif 000004
【図４】
0005796974.tif 000005
【図５】
0005796974.tif 000006
【図６】
0005796974.tif 000007
【図７】
0005796974.tif 000008
【図８】
0005796974.tif 000009
【図９】
0005796974.tif 000010
【図１０】
0005796974.tif 000011
【図１１】
0005796974.tif 000012
【図１２】
0005796974.tif 000013
【図１３】
0005796974.tif 000014
【図１４】
0005796974.tif 000015
【図１５】
0005796974.tif 000016
【図１６】
0005796974.tif 000017